【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
記憶値カード取引をローカルに認可する方法において、
前記方法は、小売ポイントオブセール（ＰＯＳ）またはホスト、ブリッジプロセッサ、および、記憶値カードプロセッサ間で行われ、
前記ブリッジプロセッサは、前記ＰＯＳまたはホストとともにローカルに配置され、
前記方法は、
前記ブリッジプロセッサにおいて、取引要求を受信することと、
前記ブリッジプロセッサによって、前記取引要求を、前記記憶値カードプロセッサに通過させるべきであるか否か、または、ローカルに決定させるべきであるか否かを決定することと、
前記取引要求を前記記憶値カードプロセッサに通過させるべきであると決定すると、
このような要求を前記ブリッジプロセッサから前記記憶値カードプロセッサに通信することと、
前記記憶値カードプロセッサから、または、前記記憶値カードプロセッサとの試行した通信から、ある応答を受信すると、前記ブリッジプロセッサによって、前記記憶値カードプロセッサの応答をローカルに上書きするか、または、前記取引要求をローカルに決定することと、
前記取引要求を前記記憶値カードプロセッサに通過させるべきでないと決定すると、
前記ブリッジプロセッサによって、前記取引要求をローカルに決定することと、
前記ブリッジプロセッサによって、取引要求応答を前記ＰＯＳまたはホストへと返通信することと、
前記ブリッジプロセッサと前記記憶値カードプロセッサとの間の通信がいったん再確立されると、前記ブリッジプロセッサによってローカルに行われた取引により、前記記憶値カードプロセッサに関係付けられているメモリを更新することとを含み、
前記取引要求は、記憶値カードの、アクティブ化、非アクティブ化、リロード、および／または、リフレッシュ取引である方法。
【請求項２】
前記ブリッジプロセッサによって、前記取引要求を前記記憶値カードプロセッサに通過させるべきであるか否か、または、ローカルに決定させるべきであるか否かを決定することは、
前記ＰＯＳまたはホストから要求された取引のタイプを決定することと、
前記取引のタイプにおよび／または記憶値カードに関係付けられている処理コードが、ローカル処理に対して適格であるとしてフラグが立てられているか否かを決定することと、ならびに／あるいは、
前記ブリッジプロセッサが前記記憶値カードプロセッサと通信しているか否かを決定することとを含む請求項１記載の方法。
【請求項３】
前記取引のタイプにおよび／または前記記憶値カードに関係付けられている処理コードが、ローカル処理に対して適格であるとしてフラグが立てられていない場合、前記ブリッジプロセッサは、パススルーとして機能し、前記取引要求を前記記憶値カードプロセッサに渡し、前記取引要求に対する応答を前記ＰＯＳまたはホストに戻す請求項２記載の方法。
【請求項４】
前記ブリッジプロセッサが前記記憶値カードプロセッサと通信していない場合、前記記憶値カードプロセッサとの通信が再確立されるまで、前記ブリッジプロセッサにおいて、少なくともいくつかの取引をローカルに行う請求項１記載の方法。
【請求項５】
前記記憶値カードプロセッサから受信したタイムアウトに続いて、前記ブリッジプロセッサは、前記取引要求をローカルに処理する請求項１記載の方法。
【請求項６】
前記ブリッジプロセッサによってローカルに上書きされた、前記記憶値カードプロセッサから受信したある応答は、ソフト拒否である請求項１記載の方法。
【手続補正２】
【補正対象書類名】明細書
【補正対象項目名】０１２９
【補正方法】変更
【補正の内容】
【０１２９】
［００１３４］
ここで示し、説明した本発明の特定の実施形態は、単なる例であることを理解すべきである。本発明の精神および範囲から逸脱することなく、多数のバリエーション、変更、置換、および、均等物を、当業者は思い付くだろう。したがって、ここで説明し、添付の図面で示したすべての主題事項は、単なる実例とみなされ、意味を限定するものとしてみなされないように意図されている。
以下に、本願出願の当初の特許請求の範囲に記載された発明を付記する。
［１］  記憶値カード取引をローカルに処理する装置において、
前記装置は、小売ポイントオブセール（ＰＯＳ）またはホストに近接し、
前記装置は、前記ＰＯＳまたはホストおよび記憶値カードプロセッサと選択的に通信し、
前記装置は、
前記ＰＯＳまたはホストとの選択的な通信を可能にするＰＯＳまたはホストインターフェースと、
前記記憶値カードプロセッサとの選択的な通信を可能にする記憶値カードプロセッサインターフェースと、
ある記憶値カード取引要求に対する選択的な決定を可能にする処理モジュールとを具備する装置。
［２］  前記記憶値カードプロセッサとの通信の時間の間には、前記処理モジュールは、ある記憶値カード取引要求に対して決定をせずに、このような要求を、前記記憶値カードプロセッサに通過させる［１］記載の装置。
［３］  前記記憶値カードプロセッサとの非通信の時間の間には、前記処理モジュールは、ある記憶値カード取引要求に対してローカルに決定する［１］記載の装置。
［４］  前記処理モジュールと前記記憶値カードプロセッサとの間の通信がいったん再確立されると、前記処理モジュールは、ローカルに行われた取引により前記記憶値カードプロセッサを更新する［３］記載の装置。
［５］  前記記憶値カードプロセッサとの通信の時間の間には、前記処理モジュールは、前記記憶値カードプロセッサから受信した応答に基づいて、前記記憶値カードプロセッサのある決定をローカルに上書きする［１］記載の装置。
［６］  記憶値カードタイプまたは額面金額、取引タイプ、ならびに／あるいは、取引額が、上書きに対して適格であるとして記憶される場合、前記記憶値カードプロセッサは、前記記憶値カードプロセッサのある決定をローカルに上書きするだけである［５］記載の装置。
［７］  前記処理モジュールにより上書きされたある決定は、ソフト拒否である［６］記載の装置。
［８］  前記決定は、アクティブ化、非アクティブ化、リロード、および／または、リフレッシュ取引を含む［１］記載の装置。
［９］  いったん前記処理モジュールと前記記憶値カードプロセッサとの間の通信が再確立されると、ローカルに行われた取引により前記記憶値カードプロセッサを更新する記憶および転送モジュールをさらに具備する［１］記載の装置。
［１０］  冗長記憶を提供するために、コンテンツ複製アプリケーションと通信する少なくとも２つのデータベースをさらに具備する［１］記載の装置。
［１１］  前記装置は、１つ以上のロードバランサまたはマルチプレクサを通して、前記ＰＯＳまたはホストと通信する［１］記載の装置。
［１２］  記憶値カード取引をローカルに認可する方法において、
前記方法は、小売ポイントオブセール（ＰＯＳ）またはホスト、ブリッジプロセッサ、および、記憶値カードプロセッサ間で行われ、
前記ブリッジプロセッサは、前記ＰＯＳまたはホストとともにローカルに配置され、
前記方法は、
前記ブリッジプロセッサにおいて、取引要求を受信することと、
前記ブリッジプロセッサによって、前記取引要求を、前記記憶値カードプロセッサに通過させるべきであるか否か、または、ローカルに決定させるべきであるか否かを決定することと、
前記取引要求を前記記憶値カードプロセッサに通過させるべきであると決定すると、
このような要求を前記ブリッジから前記記憶値カードプロセッサに通信することと、
前記記憶値カードプロセッサから、または、前記記憶値カードプロセッサとの試行した通信から、ある応答を受信すると、前記ブリッジプロセッサによって、前記記憶値カードプロセッサの応答をローカルに上書きするか、または、前記取引要求をローカルに決定することと、
前記取引要求を前記記憶値カードプロセッサに通過させるべきでないと決定すると、
前記ブリッジプロセッサによって、前記取引要求をローカルに決定することと、
前記ブリッジによって、取引要求応答を前記ＰＯＳまたはホストへと返通信することとを含む方法。
［１３］  前記記憶値カードプロセッサからのある応答は、ソフト拒否またはホストタイムアウトである［１２］記載の方法。
［１４］  前記ブリッジプロセッサによって、前記取引要求を前記記憶値カードプロセッサに通過させるべきであるか否か、または、ローカルに決定させるべきであるか否かを決定することは、
前記ＰＯＳまたはホストから要求された取引のタイプを決定することと、
前記取引のタイプにおよび／または記憶値カードに関係付けられている処理コードが、ローカル処理に対して適格であるとしてフラグが立てられているか否かを決定することと、ならびに／あるいは、
前記ブリッジが前記記憶値カードプロセッサと通信しているか否かを決定することとを含む［１２］記載の方法。
［１５］  前記取引のタイプにおよび／または前記記憶値カードに関係付けられている処理コードが、ローカル処理に対して適格であるとしてフラグが立てられていない場合、前記ブリッジは、パススルーとして機能し、前記取引要求を前記記憶値カードプロセッサに渡し、前記取引要求に対する応答を前記ＰＯＳまたはホストに戻す［１４］記載の方法。
［１６］  前記ブリッジが前記記憶値カードプロセッサと通信していない場合、前記記憶値カードプロセッサとの通信が再確立されるまで、前記ブリッジにおいて、少なくともいくつかの取引をローカルに行う［１３］記載の方法。
［１７］  前記記憶値カードプロセッサから受信したタイムアウトに続いて、前記ブリッジは、前記取引要求をローカルに処理する［１２］記載の方法。
［１８］  前記ブリッジプロセッサによってローカルに上書きされた、前記記憶値カードプロセッサから受信したある応答は、ソフト拒否である［１２］記載の方法。
［１９］  記憶値カード取引をローカルに処理する装置において、
前記装置は、小売ポイントオブセール（ＰＯＳ）またはホストに近接し、
前記装置は、前記ＰＯＳまたはホストおよび記憶値カードプロセッサと選択的に通信し、
前記装置は、
取引要求を受信し、
前記取引要求を前記記憶値カードプロセッサに通過させるべきであるか否か、または、ローカルに決定させるべきであるか否かを決定し、
前記取引要求を前記記憶値カードプロセッサに通過させるべきであると決定すると、
このような要求を前記記憶値カードプロセッサに通信し、
前記記憶値カードプロセッサから、または、前記記憶値カードプロセッサとの試行した通信から、ある応答を受信すると、前記記憶値カードプロセッサの応答をローカルに上書きするか、または、前記取引要求をローカルに決定し、
前記取引要求を前記記憶値カードプロセッサに通過させるべきでないと決定すると、
前記取引要求をローカルに決定し、
取引要求応答を前記ＰＯＳまたはホストへと返通信し、
ローカルな上書きまたはローカルな決定に続き、前記上書きまたは決定に関する情報を記憶し、いったん通信が再確立されると、このような情報を、前記記憶値カードプロセッサに転送するように構成されている装置。